(57)【特許請求の範囲】
【請求項１】
１枚の紙で形成された本体部展開型紙および蓋部展開型紙が組立てられ、容器本体および容器本体に連結された蓋を有する紙製容器であって、
前記本体部展開型紙は、底板、２片の左側壁、２片の右側壁および対をなす２葉の内底板を含み、
前記２片の左側壁および２片の右側壁は、それぞれ、折り重ねられて前記容器本体の左側壁および右側壁を２重構造とし、
前記対をなす２葉の内底板は、前記左側壁および右側壁から前記底板上を中央部に向かって積層されるように伸び、前記底板上の中央部で互いに係合して、前記容器本体の底壁を２重構造とし、
前記本体部展開型紙は、前側壁および後側壁を含み、
前記前側壁の両端および前記後側壁の両端から、それぞれ、左右一対の連結帯片が突出しており、
左の前記連結帯片同士および右の前記連結帯片同士を連結させることにより、前記底板に対して直角に折り曲げられた前記前側壁および後側壁の折り曲げ状態が保たれており、
前記前側壁は、２片と、前記２片の先端から突出する係止片とを含み、
前記２片が折り重ねられて前記容器本体の前側壁は２重構造とされ、
前記係止片は、前記底板と前記２葉の内底板とに挟まれて係止されていることを特徴とする、紙製容器。
【請求項２】
前記２葉の内底板は、それぞれ、先端辺から膨出する舌状部分を有し、互いに係合した状態で、前記舌状部分が対称に配置されることを特徴とする、請求項１記載の紙製容器。
【請求項３】
前記左右一対の連結帯片には、それぞれ、連結用の切欠きが形成されていることを特徴とする、請求項１記載の紙製容器。
【請求項４】
前記２片の左右側壁は、それぞれ、前記左右の連結帯片同士が連結された後、当該連結された左右の連結帯片を内に挟み込むように折り重ねられていることを特徴とする、請求項１記載の紙製容器。
【請求項５】
前記蓋部展開型紙は、前記後側壁を介して前記本体部展開型紙とつながっており、
前記蓋部展開型紙は、蓋板、２片の前側壁、左側壁および右側壁を含み、
前記２片の前側壁は折り重ねられて前記蓋の前側壁を２重構造としていることを特徴とする、請求項１記載の紙製容器。
【請求項６】
前記蓋部展開型紙は、２片の左側壁、２片の右側壁および対をなす２葉の内蓋板を含み、
前記２片の左側壁および２片の右側壁は、それぞれ、折り重ねられて前記蓋の左側壁および右側壁を２重構造とし、
前記対をなす２葉の内蓋板は、前記左側壁および右側壁から前記蓋板下面沿いに中央部に向かって伸び、前記蓋板下面の中央部で互いに係合して、前記蓋の天壁を２重構造としていることを特徴とする、請求項５記載の紙製容器。
【請求項７】
前記２葉の内蓋板は、それぞれ、先端辺から膨出する舌状部分を有し、互いに係合した状態で、前記舌状部分が対称に配置されることを特徴とする、請求項６記載の紙製容器。
【発明の詳細な説明】
【技術分野】
【０００１】
この発明は、物品を収納するための紙製容器に関する。
【背景技術】
【０００２】
紙製容器として、特許文献１では、１枚の型紙を組み立てて形成される紙製容器が提案されている。
特許文献１に記載の紙製容器では、底板に、前板、後板、左側板および右側板が連設されている。前板に連設された前折返板が折り返されて前板に糊付けされ、後板に連設された後折返板が折り返されて後板に糊付けされ、左側板に連設された左折返板が折り返されて左側板に糊付けされる。これにより、前壁、後壁および左壁を有する箱本体が完成する。
【０００３】
また、右側板には、天板が連設されている。天板には、前板、後板および左側板が連設されている。前板に連設された前折返板が折り返されて前板に糊付けされ、後板に連設された後折返板が折り返されて後板に糊付けされ、左側板に連設された左折返板が折り返されて左側板に糊付けされる。これにより、前壁、後壁および左壁を有する蓋体が完成する。箱本体と蓋体とは、右側板で連結されている。
【先行技術文献】
【特許文献】
【０００４】
【特許文献１】実開平６−３７１２０号公報
【発明の概要】
【発明が解決しようとする課題】
【０００５】
特許文献１の紙製容器を組み立てるには、糊付けを行う工程が必要となり、手間がかかる。
また、特許文献１の紙製容器では、完成した状態で、蓋体を開いたときに目に付きやすい箱本体の底壁の内面に、型紙の裏面が現れるので、見映えが悪い。
この発明は、かかる背景のもとでなされたもので、糊を使わずに組み立てることができる紙製容器を提供することを主たる目的とする。
【０００６】
また、この発明は、蓋を開いたときに見映えの良い紙製容器を提供することを別の目的とする。
【課題を解決するための手段】
【０００７】
請求項１記載の発明は、１枚の紙で形成された本体部展開型紙および蓋部展開型紙が組立てられ、容器本体および容器本体に連結された蓋を有する紙製容器であって、前記本体部展開型紙は、底板、２片の左側壁、２片の右側壁および対をなす２葉の内底板を含み、前記２片の左側壁および２片の右側壁は、それぞれ、折り重ねられて前記容器本体の左側壁および右側壁を２重構造とし、前記対をなす２葉の内底板は、前記左側壁および右側壁から前記底板上を中央部に向かって積層されるように伸び、前記底板上の中央部で互いに係合して、前記容器本体の底壁を２重構造とし、前記本体部展開型紙は、前側壁および後側壁を含み、前記前側壁の両端および前記後側壁の両端から、それぞれ、左右一対の連結帯片が突出しており、左の前記連結帯片同士および右の前記連結帯片同士を連結させることにより、前記底板に対して直角に折り曲げられた前記前側壁および後側壁の折り曲げ状態が保たれており、前記前側壁は、２片と、前記２片の先端から突出する係止片とを含み、前記２片が折り重ねられて前記容器本体の前側壁は２重構造とされ、前記係止片は、前記底板と前記２葉の内底板とに挟まれて係止されていることを特徴とする、紙製容器である。
【０００８】
請求項２記載の発明は、前記２葉の内底板は、それぞれ、先端辺から膨出する舌状部分を有し、互いに係合した状態で、前記舌状部分が対称に配置されることを特徴とする、請求項１記載の紙製容器である。
【０００９】
請求項３記載の発明は、前記左右一対の連結帯片には、それぞれ、連結用の切欠きが形成されていることを特徴とする、請求項１記載の紙製容器である。
請求項４記載の発明は、前記２片の左右側壁は、それぞれ、前記左右の連結帯片同士が連結された後、当該連結された左右の連結帯片を内に挟み込むように折り重ねられていることを特徴とする、請求項１記載の紙製容器である。
【００１０】
請求項５記載の発明は、前記蓋部展開型紙は、前記後側壁を介して前記本体部展開型紙とつながっており、前記蓋部展開型紙は、蓋板、２片の前側壁、左側壁および右側壁を含み、前記２片の前側壁は折り重ねられて前記蓋の前側壁を２重構造としていることを特徴とする、請求項１記載の紙製容器である。
【００１１】
請求項６記載の発明は、前記蓋部展開型紙は、２片の左側壁、２片の右側壁および対をなす２葉の内蓋板を含み、前記２片の左側壁および２片の右側壁は、それぞれ、折り重ねられて前記蓋の左側壁および右側壁を２重構造とし、前記対をなす２葉の内蓋板は、前記左側壁および右側壁から前記蓋板下面沿いに中央部に向かって伸び、前記蓋板下面の中央部で互いに係合して、前記蓋の天壁を２重構造としていることを特徴とする、請求項５記載の紙製容器である。
【００１２】
請求項７記載の発明は、前記２葉の内蓋板は、それぞれ、先端辺から膨出する舌状部分を有し、互いに係合した状態で、前記舌状部分が対称に配置されることを特徴とする、請求項６記載の紙製容器である。
【発明の効果】
【００１３】
請求項１記載の発明によれば、容器本体および容器本体に連結された蓋を有する紙製容器は、１枚の紙で形成された本体部展開型紙および蓋部展開型紙を組立てることで完成する。
本体部展開型紙は、底板、２片の左側壁、２片の右側壁および対をなす２葉の内底板を含んでいて、２片の左側壁および２片の右側壁は、それぞれ、折り重ねられて容器本体の左側壁および右側壁を２重構造とする。そして、対をなす２葉の内底板は、左側壁および右側壁から底板上を中央部に向かって積層されるように伸び、底板上の中央部で互いに係合して、容器本体の底壁を２重構造とする。
【００１４】
この場合、本体部展開型紙の表面が、容器本体の左側壁、右側壁および底壁のそれぞれの外面および内面となるようにすることができる。すると、蓋を開いたときに目に付きやすい容器本体の底壁の内面全域に本体部展開型紙の表面がくるので、見映えが良い。
また、紙製容器が、１枚の紙で形成された本体部展開型紙および蓋部展開型紙を組立てることで完成し、さらに、２葉の内底板を底板上の中央部で互いに係合すれば容器本体の２重構造の左側壁、右側壁および底壁が完成することから、紙製容器を、糊を使わずに組み立てることができる。
【００１５】
また、本体部展開型紙は、前側壁および後側壁を含んでいて、前側壁の両端および後側壁の両端から、それぞれ、左右一対の連結帯片が突出している。そして、左の連結帯片同士および右の連結帯片同士を連結させることにより、底板に対して直角に折り曲げられた前側壁および後側壁の折り曲げ 状態が保たれている。
これにより、容器本体において、前側壁と後側壁との相対位置を安定させることができるとともに、前側壁および後側壁の剛性を高めることができる。
さらに、前側壁は、２片と、２片の先端から突出する係止片とを含んでいて、２片が折り重ねられて容器本体の前側壁が２重構造となる。この場合、本体部展開型紙の表面が、容器本体の前側壁の外面および内面となるようにすることができる。すると、蓋を開くときに目に付く容器本体の前側壁の内外面に本体部展開型紙の表面がくるので、見映えが良い。
そして、係止片が底板と２葉の内底板とに挟まれて係止されているので、容器本体の２重構造の前側壁を、型崩れすることなく、安定させることができる。
請求項２記載の発明によれば、２葉の内底板は、それぞれ、先端辺から膨出する舌状部分を有し、互いに係合した状態で、これらの舌状部分が対称に配置される。そのため、蓋を開いたときに目に付く容器本体の底壁の内面では、舌状部分が対称となることで規則的に配置された様子が現れるので、一層見映えが良い。
【００１６】
請求項３記載の発明によれば、左右一対の連結帯片には、それぞれ、連結用の切欠きが形成されているので、糊を使わずに、左の連結帯片同士および右の連結帯片同士を切欠きにおいて連結させることができ、結果として、紙製容器を、糊を使わずに組み立てることができる。
【００１７】
請求項４記載の発明によれば、２片の左右側壁は、それぞれ、左右の連結帯片同士が連結された後、当該連結された左右の連結帯片を内に挟み込むように折り重ねられている。この場合、容器本体では、２重構造の左側壁および右側壁のそれぞれにおいて、内側に挟み込まれた連結帯片が芯となることによって、左側壁および右側壁が底板に対して直角に折り曲げられた状態を維持できるとともに、左側壁および右側壁の剛性を高めることができる。
【００１９】
請求項５記載の発明によれば、蓋部展開型紙は、後側壁を介して本体部展開型紙とつながっていて、蓋板、２片の前側壁、左側壁および右側壁を含んでいる。そして、２片の前側壁は折り重ねられて、蓋の前側壁を２重構造とする。この場合、蓋部展開型紙の表面が、蓋の前側壁の外面および内面となるようにすることができる。すると、蓋を開くときに目に付く蓋の前側壁の内外面に蓋部展開型紙の表面がくるので、見映えが良い。
【００２０】
請求項６記載の発明によれば、蓋部展開型紙は、２片の左側壁、２片の右側壁および対をなす２葉の内蓋板を含んでいて、２片の左側壁および２片の右側壁は、それぞれ、折り重ねられて蓋の左側壁および右側壁を２重構造とする。そして、対をなす２葉の内蓋板は、左側壁および右側壁から蓋板下面沿いに中央部に向かって伸び、蓋板下面の中央部で互いに係合して、蓋の天壁を２重構造とする。
【００２１】
この場合、蓋部展開型紙の表面が、蓋の左側壁、右側壁および天壁のそれぞれの外面および内面となるようにすることができる。すると、蓋を開くときに目に付く蓋の天壁の内面全域に蓋部展開型紙の表面がくるので、見映えが良い。
また、２葉の内蓋板を蓋板下面の中央部で互いに係合すれば蓋の２重構造の左側壁、右側壁および天壁が完成することから、紙製容器を、糊を使わずに組み立てることができる。
【００２２】
請求項７記載の発明によれば、２葉の内蓋板は、それぞれ、先端辺から膨出する舌状部分を有し、互いに係合した状態で、これらの舌状部分が対称に配置される。そのため、蓋を開いたときに目に付く蓋の天壁の内面では、舌状部分が対称となることで規則的に配置された様子が現れるので、一層見映えが良い。
【図面の簡単な説明】
【００２３】
【図１】図１は、この発明の第１実施形態に係る紙製容器Ａの展開図である。
【図２】図２は、紙製容器Ａの元になる型紙Ｘの斜視図であって、紙製容器Ａを組み立てる途中の状態を示している。
【図３】図３は、型紙Ｘの斜視図であって、図２の次の工程を示している。
【図４】図４は、型紙Ｘの斜視図であって、図３の次の工程を示している。
【図５】図５は、型紙Ｘの斜視図であって、図４の次の工程を示している。
【図６】図６は、型紙Ｘの斜視図であって、図５の次の工程を示している。
【図７】図７は、型紙Ｘの斜視図であって、図６の次の工程を示している。
【図８】図８は、型紙Ｘの斜視図であって、図７の次の工程を示している。
【図９】図９は、完成した状態にある紙製容器Ａの斜視図であって、蓋Ｃが開いた状態を示している。
【図１０】図１０は、完成した状態にある紙製容器Ａの斜視図であって、蓋Ｃが閉じた状態を示している。
【図１１】図１１は、この発明の第２実施形態に係る紙製容器Ａの展開図である。
【図１２】図１２は、紙製容器Ａの元になる型紙Ｘの斜視図であって、紙製容器Ａを組み立てる途中の状態を示している。
【図１３】図１３は、型紙Ｘの斜視図であって、図１２の次の工程を示している。
【図１４】図１４は、型紙Ｘの斜視図であって、図１３の次の工程を示している。
【図１５】図１５は、型紙Ｘの斜視図であって、図１４の次の工程を示している。
【図１６】図１６は、型紙Ｘの斜視図であって、図１５の次の工程を示している。
【図１７】図１７は、型紙Ｘの斜視図であって、図１６の次の工程を示している。
【図１８】図１８は、型紙Ｘの斜視図であって、図１７の次の工程を示している。
【図１９】図１９は、完成した状態にある紙製容器Ａの斜視図であって、蓋Ｃが開いた状態を示している。
【図２０】図２０は、完成した状態にある紙製容器Ａの斜視図であって、蓋Ｃが閉じた状態を示している。
【図２１】図２１は、この発明の第３実施形態に係る紙製容器Ａの展開図である。
【図２２】図２２は、紙製容器Ａの元になる型紙Ｘの斜視図であって、紙製容器Ａを組み立てる途中の状態を示している。
【図２３】図２３は、型紙Ｘの斜視図であって、図２２の次の工程を示している。
【図２４】図２４は、型紙Ｘの斜視図であって、図２３の次の工程を示している。
【図２５】図２５は、型紙Ｘの斜視図であって、図２４の次の工程を示している。
【図２６】図２６は、型紙Ｘの斜視図であって、図２５の次の工程を示している。
【図２７】図２７は、型紙Ｘの斜視図であって、図２６の次の工程を示している。
【図２８】図２８は、型紙Ｘの斜視図であって、図２７の次の工程を示している。
【図２９】図２９は、型紙Ｘの斜視図であって、図２８の次の工程を示している。
【図３０】図３０は、完成した状態にある紙製容器Ａの斜視図であって、蓋Ｃが開いた状態を示している。
【図３１】図３１は、完成した状態にある紙製容器Ａの斜視図であって、蓋Ｃが閉じた状態を示している。
【発明を実施するための形態】
【００２４】
以下には、図面を参照して、この発明の実施形態について具体的に説明する。
この発明に係る紙製容器Ａ（以下では、単に「容器Ａ」という）には、細かな部分（主に、後述する蓋Ｃ）の違いに応じて、第１から第３までの３つの実施形態がある。
以下では、各実施形態について説明する。
＜第１実施形態＞
図１は、この発明の第１実施形態に係る容器Ａの展開図である。図２〜図８は、容器Ａを組み立てる工程を示す斜視図である。図９および図１０は、完成した容器Ａの斜視図である。
【００２５】
容器Ａは、平面視で略正方形状であって、上下に扁平な略直方体形状である（図１０参照）。容器Ａは、上面が開放された容器本体Ｂと、容器本体Ｂの後端に連結された蓋Ｃとを有している（図９参照）。蓋Ｃは、容器本体Ｂとの連結部分を中心に回動することによって、容器本体Ｂの上面を開閉する。
容器Ａ全体は、図１に示す１枚の紙で形成された型紙Ｘを組み立てることで形成される。型紙Ｘは、１枚の紙（厚紙等）を容器Ａの展開図に合うように裁断することで形成されている。なお、図１における下側が、型紙Ｘおよび容器Ａにおける前側であり、図１における上側が、型紙Ｘおよび容器Ａにおける後側である。また、型紙Ｘにおいて図１で表れている面は、型紙Ｘの裏面である。型紙Ｘの裏面は、図１においてドットを付して示しているように、一般的に、ざらざらした粗い面である。一方、型紙Ｘの表面は、滑らかな面であり、この実施形態では、裏面と区別するために、表面には、ドットが付されていない。
【００２６】
型紙Ｘは、容器本体Ｂを構成する部分である本体部展開型紙Ｙと、蓋Ｃを構成する部分である蓋部展開型紙Ｚとを一体的に有している。
本体部展開型紙Ｙは、本体底板１、本体左外板２、本体右外板３、本体前外板４、本体後外板５、本体左内板６、左内底板２６、本体右内板７、右内底板２７、左前連結帯片８、右前連結帯片９、本体前内板１０、係止片１１、左後連結帯片１２および右後連結帯片１３を含んでいる。本体前外板４、本体前内板１０および係止片１１は、容器本体Ｂの前側壁をなし、本体後外板５は、容器本体Ｂの後側壁をなす。また、本体左外板２および本体左内板６は、容器本体Ｂの２片の左側壁をなし、本体右外板３および本体右内板７は、容器本体Ｂの２片の右側壁をなし、左内底板２６および右内底板２７は、容器本体Ｂにおいて対をなす２葉の内底板をなす。
【００２７】
蓋部展開型紙Ｚは、蓋板１４、蓋左外板１５、蓋右外板１６、蓋前外板１７、蓋左内板１８、第１左差込片２０、第２左差込片１９、蓋右内板２１、第１右差込片２３、第２右差込片２２、蓋前内板２４および蓋延設板２５を含んでいる。蓋左外板１５は、蓋Ｃの左側壁をなし、蓋右外板１６は、蓋Ｃの右側壁をなし、蓋前外板１７および蓋前内板２４は、蓋Ｃの２片の前側壁をなす。
【００２８】
本体底板１は、正方形状に形成されており、前後に延びる左右の端縁と左右に延びる前後の端縁とを有している。
本体左外板２は、前後に細長い長方形状に形成されており、本体底板１の左端縁の全域に連結されている。本体左外板２と本体底板１の左端縁との境界には、折り目１００が前後に延びている。なお、折り目は、ミシン目であってもよい（他の折り目についても同様）。
【００２９】
本体右外板３は、本体左外板２と同じ形状を有しており、本体底板１の右端縁の全域に連結されている。本体右外板３と本体底板１の右端縁との境界には、折り目１０１が前後に延びている。
本体前外板４は、左右に細長い長方形状に形成されており、本体底板１の前端縁の全域に連結されている。本体前外板４と本体底板１の前端縁との境界には、折り目１０２が左右に延びている。本体前外板４の前後方向寸法と、本体左外板２および本体右外板３のそれぞれの左右方向寸法とはほぼ同じである。
【００３０】
本体後外板５は、本体前外板４と同じ形状を有しており、本体底板１の後端縁の全域に連結されている。本体後外板５と本体底板１の後端縁との境界には、折り目１０３が左右に延びている。
本体左内板６は、本体左外板２と同じ形状を有していて、本体左外板２の左端縁の全域に連結されている。本体左内板６と本体左外板２の左端縁との境界には、折り目１０４が前後に延びている。
【００３１】
左内底板２６は、本体底板１の左半分を覆い得る大きさを有する略矩形状であり、本体左内板６の左端縁の全域に連結されている。左内底板２６と本体左内板６の左端縁との境界には、折り目１０６が前後に延びている。左内底板２６において左の先端辺である左端縁の前後方向略中央位置には、略三角形状の切欠き１５０が形成されている。また、左内底板２６の左端縁には、切欠き１５０の前側部分に連続して左内底板２６の左端縁から左前側へ膨出した舌状部分１５１が形成されている。切欠き１５０および舌状部分１５１のまとまりは、第１係合部５１とされ、左内底板２６の左端縁に設けられている。
【００３２】
本体右内板７は、本体右外板３と同じ形状を有していて、本体右外板３の右端縁の全域に連結されている。本体右内板７と本体右外板３の右端縁との境界には、折り目１０５が前後に延びている。
右内底板２７は、本体底板１の右半分を覆い得る大きさを有する略矩形状であり、本体右内板７の右端縁の全域に連結されている。右内底板２７と本体右内板７の右端縁との境界には、折り目１０７が前後に延びている。右内底板２７において右の先端辺である右端縁の前後方向略中央位置には、略三角形状の切欠き１５２が形成されている。また、右内底板２７の右端縁には、切欠き１５２の後側部分に連続して右内底板２７の右端縁から右後側へ膨出した舌状部分１５３が形成されている。切欠き１５２および舌状部分１５３のまとまりは、第２係合部５２とされ、右内底板２７の右端縁に設けられている。
【００３３】
ここで、第１係合部５１の切欠き１５０と、第２係合部５２の切欠き１５２とは前後方向でほぼ同じ位置にあって、第１係合部５１の舌状部分１５１は、切欠き１５０の前側部分から左前側へ膨出している一方で、第２係合部５２の舌状部分１５３は、切欠き１５２の後側部分から右後側へ膨出している。つまり、舌状部分１５３は、右内底板２７において前後方向で舌状部分１５１（第１係合部５１）からずれた位置から膨出している。
【００３４】
左前連結帯片８は、左右に細長い長方形状に形成されており、本体前外板４の左端縁の全域に連結されている。左前連結帯片８と本体前外板４の左端縁との境界には、折り目１０８が前後に延びている。左前連結帯片８の前後の幅は、本体前外板４から離れるに従って狭くなっている。左前連結帯片８の前端縁の左端部には、第３係合部５４が形成されている。第３係合部５４は、後側へ窪む切欠きである。
【００３５】
右前連結帯片９は、左前連結帯片８と同じ大きさであって、左右に細長い長方形状に形成されており、本体前外板４の右端縁の全域に連結されている。右前連結帯片９と本体前外板４の右端縁との境界には、折り目１０９が前後に延びている。右前連結帯片９の前後の幅は、本体前外板４から離れるに従って狭くなっている。右前連結帯片９の前端縁の右端部には、第４係合部５５が形成されている。第４係合部５５は、後側へ窪む切欠きである。
【００３６】
左前連結帯片８および右前連結帯片９は、対をなし、本体前外板４の左右両端から突出している。
本体前内板１０は、本体前外板４と同じ形状を有しており、本体前外板４の前端縁の全域に連結されている。本体前内板１０と本体前外板４の前端縁との境界には、折り目１１０が左右に延びている。本体前外板４および本体前内板１０は、２片をなす。
【００３７】
係止片１１は、本体前内板１０と同じ左右方向寸法を有する左右に細長い長方形状であり、本体前内板１０において前側の先端である前端縁の全域に連結されていて、本体前内板１０の前端縁から突出している。係止片１１の前後方向寸法は、本体前内板１０の前後方向寸法より小さく、ここでは、本体前内板１０の前後方向寸法の半分以下である。係止片１１と本体前内板１０の前端縁との境界には、折り目１１１が左右に延びている。
【００３８】
左後連結帯片１２は、左前連結帯片８とほぼ同じ形状を有しており、本体後外板５の左端縁のほぼ全域に連結されている。左後連結帯片１２と本体後外板５の左端縁との境界には、折り目１１２が前後に延びている。左後連結帯片１２の前後の幅は、本体後外板５から離れるに従って狭くなっている。左後連結帯片１２の前端縁の左端部には、第５係合部５６が形成されている。第５係合部５６は、後側へ窪む切欠きである。
【００３９】
右後連結帯片１３は、右前連結帯片９とほぼ同じ形状を有しており、本体後外板５の右端縁のほぼ全域に連結されている。右後連結帯片１３と本体後外板５の右端縁との境界には、折り目１１３が前後に延びている。右後連結帯片１３の前後の幅は、本体後外板５から離れるに従って狭くなっている。右後連結帯片１３の前端縁の右端部には、第６係合部５７が形成されている。第６係合部５７は、後側へ窪む切欠きである。
【００４０】
左後連結帯片１２および右後連結帯片１３は、対をなし、本体後外板５の左右両端から突出している。
蓋板１４は、本体底板１とほぼ同じ大きさの正方形状に形成されており、前後に延びる左右の端縁と左右に延びる前後の端縁とを有している。蓋板１４の前端縁の全域は、本体後外板５の後端縁の全域に連結されている。蓋板１４の前端縁と本体後外板５の後端縁との境界には、折り目１１４が左右に延びている。
【００４１】
蓋板１４は、本体後外板５を介して本体底板１に連結されている。つまり、蓋板１４を含む蓋部展開型紙Ｚは、本体後外板５を介して、本体底板１を含む本体部展開型紙Ｙとつながっている。
蓋左外板１５は、前後に細長い長方形状に形成されており、蓋板１４の左端縁の全域に連結されている。蓋左外板１５の前端縁は、左側へ向かうに従って後側へ傾斜している。蓋左外板１５と蓋板１４の左端縁との境界には、折り目１１５が前後に延びている。
【００４２】
蓋右外板１６は、前後に細長い長方形状に形成されており、蓋板１４の右端縁の全域に連結されている。蓋右外板１６の前端縁は、右側へ向かうに従って後側へ傾斜している。蓋右外板１６と蓋板１４の右端縁との境界には、折り目１１６が前後に延びている。
蓋前外板１７は、本体後外板５と同じ形状を有しており、蓋板１４の後端縁の全域に連結されている。蓋前外板１７と蓋板１４の後端縁との境界には、折り目１１７が左右に延びている。
【００４３】
蓋左内板１８は、蓋左外板１５の左端縁の後端部に連結されている。蓋左内板１８と蓋左外板１５の左端縁との境界には、折り目１１８が前後に延びている。蓋左内板１８は、折り目１１８と、折り目１１８の後端から左側へ延びる部分と、折り目１１８の前端から左後側へ傾斜して延びる部分とを３辺とする略三角形状である。
第１左差込片２０は、前後に細長い長方形状であり、蓋左外板１５の後端縁の全域に連結されている。第１左差込片２０の前後方向寸法は、蓋前外板１７の左右方向寸法の半分程度である。第１左差込片２０と蓋左外板１５の後端縁との境界には、折り目１２０が左右に延びている。
【００４４】
第２左差込片１９は、第１左差込片２０とほぼ同じ形状を有しており、蓋左内板１８の後端縁の略右半分に連結されている。第２左差込片１９と第１左差込片２０とは、直接つながっておらず、分離されている。第２左差込片１９と蓋左内板１８の後端縁との境界には、折り目１１９が左右に延びている。蓋左内板１８の後端部、厳密には第２左差込片１９と蓋左内板１８の後端縁の略左半分との間には、左右に延びる左切欠き６２が形成されていて、第２左差込片１９と蓋左内板１８の後端縁の略左半分とは、左切欠き６２によって分離されている。左切欠き６２は、折り目１１９に対して前側へ少しずれた位置に形成されている。
【００４５】
蓋右内板２１は、蓋右外板１６の右端縁の後端部に連結されている。蓋右内板２１と蓋右外板１６の右端縁との境界には、折り目１２１が前後に延びている。蓋右内板２１は、折り目１２１と、折り目１２１の後端から右側へ延びる部分と、折り目１２１の前端から右後側へ傾斜して延びる部分とを３辺とする略三角形状であり、蓋左内板１８と同じ形状である。
【００４６】
第１右差込片２３は、第１左差込片２０と同じ形状であり、蓋右外板１６の後端縁の全域に連結されている。第１右差込片２３と蓋右外板１６の後端縁との境界には、折り目１２３が左右に延びている。
第２右差込片２２は、第２左差込片１９とほぼ同じ形状であり、蓋右内板２１の後端縁の略左半分に連結されている。第２右差込片２２と第１右差込片２３とは、直接つながっておらず、分離されている。第２右差込片２２と蓋右内板２１の後端縁との境界には、折り目１２２が左右に延びている。蓋右内板２１の後端部、厳密には第２右差込片２２と蓋右内板２１の後端縁の略右半分との間には、左右に延びる右切欠き６３が形成されていて、第２右差込片２２と蓋右内板２１の後端縁の略右半分とは、右切欠き６３によって分離されている。右切欠き６３は、折り目１２２に対して前側へ少しずれた位置に形成されている。
【００４７】
蓋前内板２４は、蓋前外板１７とほぼ同じ大きさを有する左右に長手の長方形状であり、蓋前外板１７の後端縁の全域に連結されている。蓋前内板２４と蓋前外板１７の後端縁との境界には、折り目１２４が左右に延びている。蓋前内板２４では、蓋前外板１７側の略前側部分が、略後側部分よりも少し幅狭になっており、これにより、蓋前内板２４の左端縁の後側部分には、左側へ膨出する第１蓋左凸部６４が連結され、蓋前内板２４の右端縁の後側部分には、右側へ膨出する第１蓋右凸部６５が連結されている。第１蓋左凸部６４および第１蓋右凸部６５は、前後に長手で左右に扁平な長方形状である。
【００４８】
蓋延設板２５は、蓋前内板２４より若干小さい左右方向寸法を有する左右に細長い長方形状であり、蓋前内板２４の後端縁のほぼ全域に連結されている。蓋延設板２５の前後方向寸法は、蓋前内板２４の前後方向寸法より小さく、ここでは、蓋前内板２４の前後方向寸法の半分以下である。蓋延設板２５と蓋前内板２４の後端縁との境界には、折り目１２５が左右に延びている。
【００４９】
また、前述した蓋左内板１８の左端縁には、略矩形状の第２蓋左凸部６０が連結されている。第２蓋左凸部６０と蓋左内板１８の左端縁との境界には、折り目１２６が前後に延びている。第２蓋左凸部６０と同じ形状の第２蓋右凸部６１が、蓋右内板２１の右端縁に連結されている。第２蓋右凸部６１と蓋右内板２１の右端縁との境界には、折り目１２７が前後に延びている。第２蓋左凸部６０および第２蓋右凸部６１は、型紙Ｘに含まれる。
【００５０】
このような型紙Ｘでは、角部分が丸められている（第２および第３実施形態においても同様）。
次に、型紙Ｘから容器Ａを組み立てる手順について説明する。なお、以下に示す容器Ａの組み立て手順は、あくまで一例に過ぎず、容器Ａが正しく完成するのであれば、他の組み立て手順によって容器Ａを組み立てても構わない。
【００５１】
まず、型紙Ｘを、裏面が上を向くように、水平面に載置する。
次いで、図２に示すように、本体前外板４を、本体底板１に対して直交するように折り目１０２において上向きに折り曲げ、本体後外板５を、本体底板１に対して直交するように折り目１０３において上向きに折り曲げる。このとき、本体前内板１０および係止片１１は、本体前外板４に沿って上向きに延びている。
【００５２】
次いで、蓋板１４を、上向きに延びている本体後外板５に対して直交するように折り目１１４において後向きに折り曲げる。
次いで、左前連結帯片８と左後連結帯片１２とを、対応する折り目１０８，１１２において、互いに接近する方向へ折り曲げ、右前連結帯片９と右後連結帯片１３とを、対応する折り目１０９，１１３において、互いに接近する方向へ折り曲げる。これにより、左前連結帯片８および右前連結帯片９は、本体前外板４に対して後向きに直交し、左後連結帯片１２および右後連結帯片１３は、本体後外板５に対して前向きに直交する。
【００５３】
次いで、左後連結帯片１２における第５係合部５６の周縁部を左前連結帯片８の第３係合部５４に嵌め込んで第３係合部５４と第５係合部５６とを係合し、左前連結帯片８と左後連結帯片１２とを連結する。同様に、右後連結帯片１３における第６係合部５７の周縁部を右前連結帯片９の第４係合部５５に嵌め込んで第４係合部５５と第６係合部５７とを係合し、右前連結帯片９と右後連結帯片１３とを連結する。これにより、本体底板１に対して直角に折り曲げられた本体前外板４および本体後外板５の折り曲げ状態が保たれる。      
【００５４】
ここで、第３係合部５４、第４係合部５５、第５係合部５６および第６係合部５７は、いずれも切欠きである（図１参照）。これにより、糊を使わずに、左前連結帯片８と左後連結帯片１２とを切欠き（第３係合部５４および第５係合部５６）において連結させることができ、右前連結帯片９と右後連結帯片１３とを切欠き（第４係合部５５および第６係合部５７）において連結させることができる。
【００５５】
次いで、図３に示すように、本体前内板１０を、本体前外板４に対して後側から折り重なるように折り目１１０において折り畳み、係止片１１を、折り畳まれた本体前内板１０に対して直交するように折り目１１１において後向きに折り曲げる。折り曲げられた係止片１１は、本体底板１の上面（裏面）の前端部の左右方向全域に対して上から対向する。
次いで、図４に示すように、本体左内板６を、本体左外板２に対して直交するように折り目１０４において上向きに折り曲げるとともに、左内底板２６を、上向きに折れ曲った本体左内板６に対して直交するように折り目１０６において左向きに折り曲げる。同様に、本体右内板７を、本体右外板３に対して直交するように折り目１０５において上向きに折り曲げるとともに、右内底板２７を、上向きに折れ曲った本体右内板７に対して直交するように折り目１０７において右向きに折り曲げる。
【００５６】
次いで、本体左外板２を、本体底板１に対して直交するように折り目１００において上向きに折り曲げるとともに、本体左内板６を、本体左外板２に対して右側から折り重なるように折り目１０４において折り畳む。すると、本体左外板２と本体左内板６とに（本体左外板２および本体左内板６の内に）、連結された左前連結帯片８および左後連結帯片１２が挟み込まれる。そして、左内底板２６が、本体左外板２および本体左内板６から本体底板１上を本体底板１の左右方向中央部に向かって積層されるように伸びて、本体底板１の上面（裏面）の略左半分を上から覆う（図５参照）。
【００５７】
同様に、本体右外板３を、本体底板１に対して直交するように折り目１０１において上向きに折り曲げるとともに、本体右内板７を、本体右外板３に対して左側から折り重なるように折り目１０５において折り畳む。すると、本体右外板３と本体右内板７とに（本体右外板３および本体右内板７の内に）、連結された右前連結帯片９および右後連結帯片１３が挟み込まれる。さらに、右内底板２７が、本体右外板３および本体右内板７から本体底板１上を本体底板１の左右方向中央部に向かって積層されるように伸びて、本体底板１の上面（裏面）の略右半分を上から覆う（図５参照）。このとき、左内底板２６および右内底板２７と、本体底板１との間に係止片１１が挟み込まれて係止される。
【００５８】
次いで、図５に示すように、左内底板２６の舌状部分１５１を右内底板２７の切欠き１５２（図１参照）に上から嵌め込み、さらに、右内底板２７の舌状部分１５３を左内底板２６の切欠き１５０（図１参照）に上から嵌め込む。これにより、左内底板２６の舌状部分１５１の下に、右内底板２７における切欠き１５２の周縁部が潜り込み、さらに、右内底板２７の舌状部分１５３の下に、左内底板２６における切欠き１５０の周縁部が潜り込む。その結果、左内底板２６の第１係合部５１と、右内底板２７の第２係合部５２とが、本体底板１の左右方向中央部上で互いに係合する。この状態で、舌状部分１５１および１５３は、前後に並びつつ、対称に配置されている。なお、舌状部分１５１および１５３のそれぞれが逆向きに膨出するように形成されていてもよく、その場合、第１係合部５１と第２係合部５２とが係合したときに舌状部分１５１および１５３の前後に並ぶ順番は、逆になる。
【００５９】
第１係合部５１と第２係合部５２とが係合することにより、容器本体Ｂが完成する。容器本体Ｂでは、折り重なっている本体前外板４および本体前内板１０によって、２重構造の前側壁Ｄが構成されている。また、左前連結帯片８および左後連結帯片１２を挟んだ状態で折り重なっている本体左外板２および本体左内板６によって、２重構造の左側壁Ｅが構成され、右前連結帯片９および右後連結帯片１３を挟んだ状態で折り重なっている本体右外板３および本体右内板７によって、２重構造の右側壁Ｆが構成されている。容器本体Ｂの底壁Ｇは、本体底板１と、本体底板１の略左半分を上から覆う左内底板２６と、本体底板１の略右半分を上から覆う右内底板２７とで構成される２重構造である。容器本体Ｂの後側壁Ｈは、本体後外板５である。
【００６０】
このように、左内底板２６の第１係合部５１と右内底板２７の第２係合部５２とを互いに係合すれば、糊を使わずに容器本体Ｂの２重構造の左側壁Ｅ、右側壁Ｆおよび底壁Ｇが完成する。
そして、容器本体Ｂでは、後側内側面（後側壁Ｈの前側面）以外の全ての面に、型紙Ｘの表面がきている。
【００６１】
また、容器本体Ｂでは、左前連結帯片８の第３係合部５４と左後連結帯片１２の第５係合部５６とが係合するとともに、右前連結帯片９の第４係合部５５と右後連結帯片１３の第６係合部５７とが係合することで、左前連結帯片８と左後連結帯片１２とが連結され、右前連結帯片９と右後連結帯片１３とが連結されている（図４参照）。これにより、前述したように、本体底板１に対して直角に折り曲げられた本体前外板４および本体後外板５の折り曲げ状態が保たれるので、容器本体Ｂにおいて、前側壁Ｄと後側壁Ｈとの相対位置を安定させることができるとともに、前側壁Ｄおよび後側壁Ｈの剛性を高めることができる。
【００６２】
また、２重構造の左側壁Ｅおよび右側壁Ｆのそれぞれにおいて、内側に挟み込まれた連結帯片（左前連結帯片８、右前連結帯片９、左後連結帯片１２、右後連結帯片１３）が芯となる。これによって、左側壁Ｅおよび右側壁Ｆが本体底板１に対して直角に折り曲げられた状態を維持できるとともに、左側壁Ｅおよび右側壁Ｆの剛性を高めることができる。
そして、左内底板２６の第１係合部５１と右内底板２７の第２係合部５２とが係合することによって、左側壁Ｅと右側壁Ｆとの間で左内底板２６および右内底板２７が突っ張っている。これにより、左側壁Ｅと右側壁Ｆとの相対位置が安定するとともに、それぞれの剛性が一層高められている。
【００６３】
さらに、係止片１１（図４参照）が本体底板１と左内底板２６および右内底板２７とに挟まれて係止されているので、前側壁Ｄ、左側壁Ｅ、右側壁Ｆ、底壁Ｇおよび後側壁Ｈが、強固に構成された状態で一体化されており、容器本体Ｂは、型崩れすることなく安定している。また、前側壁Ｄ、左側壁Ｅ、右側壁Ｆおよび後側壁Ｈの剛性を保つ左前連結帯片８、左後連結帯片１２、右前連結帯片９および右後連結帯片１３（図４参照）は、隠れているので、見映えがよい。
【００６４】
次に、蓋Ｃを組み立てる。
まず、蓋左内板１８を、折り目１１８において右側へ折り畳むとともに、蓋右内板２１を、折り目１２１において左側へ折り畳む。すると、図６に示すように、蓋左内板１８が蓋左外板１５の後端部に折り重なるとともに、第２左差込片１９が第１左差込片２０に折り重なり、蓋右内板２１が蓋右外板１６の後端部に折り重なるとともに、第２右差込片２２が第１右差込片２３に折り重なる。また、蓋左内板１８に連結された第２蓋左凸部６０が、蓋板１４の左端部における蓋前外板１７側の端部に上から重なり、蓋右内板２１に連結された第２蓋右凸部６１が、蓋板１４の右端部における蓋前外板１７側の端部に上から重なる。
【００６５】
次いで、図７に示すように、蓋左外板１５を、蓋板１４に対して直交するように、折り目１１５において上向きに折り曲げるとともに、蓋右外板１６を、蓋板１４に対して直交するように、折り目１１６において上向きに折り曲げる。すると、第２蓋左凸部６０および第２蓋右凸部６１は、引き続き蓋板１４に上から重なっている一方で、蓋左外板１５の後端部に折り重なっている蓋左内板１８と、蓋右外板１６の後端部に折り重なっている蓋右内板２１とが、ともに、蓋板１４に対して直交するように上向きに折れ曲がる。このとき、第２蓋左凸部６０および第２蓋右凸部６１を基準とすると、第２蓋左凸部６０は、蓋板１４に上から沿うように折り目１２６において折り曲げられ、第２蓋右凸部６１は、蓋板１４に上から沿うように折り目１２７（図１参照）において折り曲げられる。
【００６６】
次いで、重なった第２左差込片１９および第１左差込片２０と、重なった第２右差込片２２および第１右差込片２３とを、互いに接近する方向へ折り曲げる。つまり、第２左差込片１９および第１左差込片２０を、蓋左外板１５および蓋左内板１８に対して直交するように、折り目１１９および１２０において右側へ折り曲げ、第２右差込片２２および第１右差込片２３を、蓋右外板１６および蓋右内板２１に対して直交するように、折り目１２２および１２３において左側へ折り曲げる。
【００６７】
次いで、図８に示すように、蓋前内板２４を、蓋前外板１７に対して直交するように、折り目１２４において上向きに折り曲げるとともに、蓋延設板２５を、蓋前内板２４に対して直交するように、折り目１２５において後向きに折り曲げる。
次いで、蓋前外板１７を、蓋板１４に対して直交するように折り目１１７において上向きに折り曲げるとともに、蓋前内板２４を、蓋前外板１７に対して前側から折り重なるように折り目１２４において折り畳む。すると、蓋前外板１７と蓋前内板２４との間に、重なった第２左差込片１９および第１左差込片２０と、重なった第２右差込片２２および第１右差込片２３とが挟み込まれる（図９参照）。
【００６８】
このとき、図９に示すように、蓋延設板２５が蓋板１４に対して対向し、蓋延設板２５と蓋板１４との間に、第２蓋左凸部６０および第２蓋右凸部６１が挟み込まれる。また、蓋前内板２４の左端における第１蓋左凸部６４が、蓋左内板１８と第２左差込片１９と間の左切欠き６２（図１および図７参照）に通されて、蓋左外板１５と蓋左内板１８との間に挟み込まれる。また、蓋前内板２４の右端における第１蓋右凸部６５が、蓋右内板２１と第２右差込片２２と間の右切欠き６３（図１および図７参照）に通されて、蓋右外板１６と蓋右内板２１との間に挟み込まれる。これにより、蓋Ｃが完成し、容器Ａが完成する。これまでの工程で、糊は一切使用していない。
【００６９】
蓋Ｃでは、折り重なっている蓋前外板１７および蓋前内板２４によって、２重構造の前側壁Ｉが構成され、折り重なっている蓋左外板１５および蓋左内板１８によって、一部が２重構造の左側壁Ｊが構成され、折り重なっている蓋右外板１６および蓋右内板２１によって、一部が２重構造の右側壁Ｋが構成されている。または、蓋Ｃでは、折り重なっている蓋板１４および蓋延設板２５によって、一部が２重構造の天壁Ｌが構成されている。
【００７０】
蓋Ｃでは、左内側面、右内側面および内底面の一部以外の全ての面に、型紙Ｘの表面がきている。また、蓋前内板２４の第１蓋左凸部６４が蓋左外板１５と蓋左内板１８との間に挟まれ、蓋前内板２４の第１蓋右凸部６５が蓋右外板１６と蓋右内板２１との間に挟まれ、さらに、第２蓋左凸部６０および第２蓋右凸部６１が蓋板１４と蓋延設板２５との間に挟まれている。そのため、蓋Ｃの前側壁Ｉ、左側壁Ｊ、右側壁Ｋおよび天壁Ｌは、一体となった状態で、強固に構成され、蓋Ｃは、型崩れすることなく安定している。
【００７１】
前述したように蓋板１４が本体後外板５に連結されているので、容器本体Ｂと蓋Ｃとは、蓋板１４と本体後外板５との境界（折り目１１４）において連結されている。図９では、蓋Ｃが開いた状態にあり、蓋Ｃを、折り目１１４を中心として前側へ回動させると、図１０に示すように、蓋Ｃが、閉じて容器本体Ｂに上から被さる。このとき、蓋Ｃの天壁Ｌが容器本体Ｂの上面（開口部）を塞いでいるとともに、蓋Ｃの左側壁Ｊが容器本体Ｂの左側壁Ｅの左外側にあり、蓋Ｃの右側壁Ｋが容器本体Ｂの右側壁Ｆの右外側にあり、蓋Ｃの前側壁Ｉが容器本体Ｂの前側壁Ｄの前外側にある。閉じた蓋Ｃを、折り目１１４を中心として後側へ回動させると、図９に示すように蓋Ｃが開く。
【００７２】
このように、容器Ａは、１枚の紙で形成された型紙Ｘ（本体部展開型紙Ｙおよび蓋部展開型紙Ｚ）を組立てることで完成するので、糊を使わずに組み立てることができる。これにより、糊貼りに必要な装置が不要となるので、容器Ａを少数生産する場合に都合がよい。
また、以上のように型紙Ｘの裏面が上を向いた状態で容器Ａを組み立てれば、型紙Ｘ（本体部展開型紙Ｙ）の表面が、容器本体Ｂの左側壁Ｅ、右側壁Ｆおよび底壁Ｇのそれぞれの外面および内面となる。特に、左内底板２６および右内底板２７のそれぞれにおいて本体部展開型紙Ｙの表面であった面が、容器本体Ｂの底壁Ｇの内面（上面）をなすことから、蓋Ｃを開いたときに目に付きやすい容器本体Ｂの底壁Ｇの内面全域に本体部展開型紙Ｙの表面がくるので、見映えが良い。
【００７３】
そのため、たとえば、型紙Ｘの表面に、任意の装飾模様を施しておけば、容器Ａを組み立てると、容器Ａの外面だけでなく、容器本体Ｂの内底面（底壁Ｇの上面）にも、この装飾模様が現れるので、様々な要望に応じて容器Ａに装飾模様を施すことができる。
さらに、蓋Ｃを開いたときに、容器本体Ｂの底壁Ｇの内面では、舌状部分１５１，１５３が対称となることで規則的に配置された様子が現れるので、一層見映えが良い。
【００７４】
型紙Ｘの裏面が上を向いた状態で容器Ａを組み立てれば、型紙Ｘ（本体部展開型紙Ｙ）の表面が、容器本体Ｂの前側壁Ｄの外面および内面となり、型紙Ｘ（蓋部展開型紙Ｚ）の表面が、蓋Ｃの前側壁Ｉの外面および内面となる。これにより、蓋Ｃを開くときにおいて、容器本体Ｂの底壁Ｇの内面だけでなく、容器本体Ｂの前側壁Ｄおよび蓋Ｃの前側壁Ｉのそれぞれの内外面に、型紙Ｘの表面がくるので、見映えが良い。
【００７５】
次に、第２実施形態および第３実施形態について説明する。第１実施形態、第２実施形態および第３実施形態では、容器本体Ｂの構成および組み立て手順ならびに完成後の容器Ａの形状は共通であり、蓋Ｃの構成および組み立て手順だけが異なっている。そのため、第２実施形態および第３実施形態において、第１実施形態で説明した部材と同じ部材には、同一符号を付して、その説明（特に容器本体Ｂの説明）を省略するとともに、容器本体Ｂの組み立て手順についての説明も省略する。
＜第２実施形態＞
図１１は、この発明の第２実施形態に係る容器Ａの展開図である。図１２〜図１８は、容器Ａを組み立てる工程を示す斜視図である。図１９および図２０は、完成した容器Ａの斜視図である。
【００７６】
第２実施形態に係る容器Ａに関し、図１１に示す型紙Ｘ（本体部展開型紙Ｙ）は、第１実施形態と同様に、容器本体Ｂを構成する部材として、本体底板１、本体左外板２、本体右外板３、本体前外板４、本体後外板５、本体左内板６、左内底板２６、本体右内板７、右内底板２７、左前連結帯片８、右前連結帯片９、本体前内板１０、係止片１１、左後連結帯片１２および右後連結帯片１３を含んでいる。
【００７７】
ただし、第１実施形態と異なり、本体左外板２の後端部には、後側へ略Ｕ字状に膨出して本体左外板２を貫通する本体係合部１６０が形成されているとともに、本体右外板３の後端部にも、本体係合部１６０と同形状で本体右外板３を貫通する本体係合部１６１が形成されている。本体係合部１６０および本体係合部１６１は、切欠きである。
また、第２実施形態の型紙Ｘ（蓋部展開型紙Ｚ）は、蓋Ｃを構成する部材として、第１実施形態と同様に、蓋板１４、蓋左外板１５、蓋右外板１６、蓋前外板１７、蓋左内板１８、第１左差込片２０、第２左差込片１９、蓋右内板２１、第１右差込片２３、第２右差込片２２、蓋前内板２４および蓋延設板２５を含んでいる。
【００７８】
ただし、第２実施形態では、蓋左外板１５の前端縁の左右方向略中央に、前側へ突出する略矩形状の蓋係合部１６２が設けられ、蓋右外板１６の前端縁の左右方向略中央に、前側へ突出する略矩形状の蓋係合部１６３が設けられている。
また、第２実施形態では、左切欠き６２は、蓋左内板１８の後端縁の左右方向略中央から前側へ窪む略矩形状であり、右切欠き６３は、蓋右内板２１の後端縁の左右方向略中央から前側へ窪む略矩形状である。
【００７９】
また、第２実施形態の蓋左内板１８、第２左差込片１９、第１左差込片２０、蓋右内板２１、第２右差込片２２および第１右差込片２３は、第１実施形態において対応するものに比べて小さくなっている（図１参照）。
また、第２実施形態では、第１実施形態と比較して、第１蓋左凸部６４は、蓋前内板２４の左端縁において前寄りの前後方向略中央位置に設けられ、第１蓋右凸部６５は、蓋前内板２４の右端縁において前寄りの前後方向略中央位置に設けられている（図１参照）。第１蓋左凸部６４と蓋前内板２４の左端縁との境界には、折り目１２８が前後に延びていて、第１蓋右凸部６５と蓋前内板２４の右端縁との境界には、折り目１２９が前後に延びている。
【００８０】
このような第２実施形態の型紙Ｘから、型紙Ｘの裏面が上を向いた状態で、第１実施形態と同様に、容器本体Ｂを組み立てる（図１２〜図１５参照）。なお、図１２は、図２に対応し、図１３は、図３に対応し、図１４は、図４に対応し、図１５は、図５に対応している。
図１５に示すように容器本体Ｂが完成した状態で、次に、蓋Ｃを組み立てる。
【００８１】
まず、蓋左内板１８を、折り目１１８において右側へ折り畳むとともに、蓋右内板２１を、折り目１２１において左側へ折り畳む。すると、図１６に示すように、蓋左内板１８が蓋左外板１５の後端部に折り重なるとともに、第２左差込片１９が第１左差込片２０に折り重なり、蓋右内板２１が蓋右外板１６の後端部に折り重なるとともに、第２右差込片２２が第１右差込片２３に折り重なる。また、蓋左内板１８に連結された第２蓋左凸部６０が、蓋板１４の左端部における蓋前外板１７側の端部に上から重なり、蓋右内板２１に連結された第２蓋右凸部６１が、蓋板１４の右端部における蓋前外板１７側の端部に上から重なる。
【００８２】
次いで、図１７に示すように、蓋左外板１５を、蓋板１４に対して直交するように、折り目１１５において上向きに折り曲げるとともに、蓋右外板１６を、蓋板１４に対して直交するように、折り目１１６において上向きに折り曲げる。すると、第２蓋左凸部６０および第２蓋右凸部６１は、引き続き蓋板１４に上から重なっている一方で、蓋左外板１５の後端部に折り重っている蓋左内板１８と、蓋右外板１６の後端部に折り重なっている蓋右内板２１とが、ともに、蓋板１４に対して直交するように上向きに折れ曲がる。このとき、第２蓋左凸部６０および第２蓋右凸部６１を基準とすると、第２蓋左凸部６０は、蓋板１４に上から沿うように折り目１２６において折り曲げられ、第２蓋右凸部６１は、蓋板１４に上から沿うように折り目１２７（図１１参照）において折り曲げられる。
【００８３】
次いで、重なった第２左差込片１９および第１左差込片２０と、重なった第２右差込片２２および第１右差込片２３とを、互いに接近する方向へ折り曲げる。つまり、第２左差込片１９および第１左差込片２０を、蓋左外板１５および蓋左内板１８に対して直交するように、折り目１１９および１２０において右側へ折り曲げ、第２右差込片２２および第１右差込片２３を、蓋右外板１６および蓋右内板２１に対して直交するように、折り目１２２および１２３において左側へ折り曲げる。
【００８４】
次いで、図１８に示すように、蓋前内板２４を、蓋前外板１７に対して直交するように、折り目１２４において上向きに折り曲げるとともに、蓋延設板２５を、蓋前内板２４に対して直交するように、折り目１２５において後向きに折り曲げる。
次いで、蓋前外板１７を、蓋板１４に対して直交するように折り目１１７において上向きに折り曲げるとともに、蓋前内板２４を、蓋前外板１７に対して前側から折り重なるように折り目１２４において折り畳む。すると、蓋前外板１７と蓋前内板２４との間に、重なった第２左差込片１９および第１左差込片２０と、重なった第２右差込片２２および第１右差込片２３とが挟み込まれる（図１９参照）。
【００８５】
このとき、図１９に示すように、蓋延設板２５が蓋板１４に対して対向し、蓋延設板２５と蓋板１４との間に、第２蓋左凸部６０および第２蓋右凸部６１が挟み込まれる。また、蓋前内板２４の左端における第１蓋左凸部６４が、蓋左内板１８の後端の左切欠き６２に通されて、蓋左外板１５と蓋左内板１８との間に挟み込まれる。このとき、第１蓋左凸部６４は、蓋前内板２４に対して直交するように、折り目１２８において前向きに折れ曲がっている。また、蓋前内板２４の右端における第１蓋右凸部６５が、蓋右内板２１の後端の右切欠き６３に通されて、蓋右外板１６と蓋右内板２１との間に挟み込まれる。このとき、第１蓋右凸部６５は、蓋前内板２４に対して直交するように、折り目１２９（図１８参照）において前向きに折れ曲がっている。
【００８６】
以上により、蓋Ｃが完成し、容器Ａが完成する。第２実施形態においても、これまでの工程で、糊は一切使用していない。
蓋Ｃでは、折り重なっている蓋前外板１７および蓋前内板２４によって、２重構造の前側壁Ｉが構成され、折り重なっている蓋左外板１５および蓋左内板１８によって、一部が２重構造の左側壁Ｊが構成され、折り重なっている蓋右外板１６および蓋右内板２１によって、一部が２重構造の右側壁Ｋが構成されている。または、蓋Ｃでは、折り重なっている蓋板１４および蓋延設板２５によって、一部が２重構造の天壁Ｌが構成されている。
【００８７】
蓋Ｃでは、第１実施形態（図９参照）と同様に、左内側面、右内側面および内底面の一部以外の全ての面に、型紙Ｘの表面がきている。また、前述したように、蓋延設板２５と蓋板１４との間に第２蓋左凸部６０および第２蓋右凸部６１が挟み込まれ、第１蓋左凸部６４が左切欠き６２に嵌まり込み、第１蓋右凸部６５が右切欠き６３に嵌まり込んでいる。そのため、蓋Ｃでは、前側壁Ｉ、左側壁Ｊ、右側壁Ｋおよび天壁Ｌが一体化されており、蓋Ｃは、型崩れすることなく安定している。
【００８８】
容器本体Ｂと蓋Ｃとは、蓋板１４と本体後外板５との境界（折り目１１４）において連結されている。図１９では、蓋Ｃが開いた状態にあり、蓋Ｃを、折り目１１４を中心として前側へ回動させると、図２０に示すように、蓋Ｃが、閉じて容器本体Ｂに上から被さる。
このとき、蓋Ｃの天壁Ｌが容器本体Ｂの上面（開口部）を塞いでいるとともに、蓋Ｃの左側壁Ｊが容器本体Ｂの左側壁Ｅの左外側にあり、蓋Ｃの右側壁Ｋが容器本体Ｂの右側壁Ｆの右外側にあり、蓋Ｃの前側壁Ｉが容器本体Ｂの前側壁Ｄの前外側にある。
【００８９】
また、このとき、蓋左外板１５の蓋係合部１６２（図１９参照）が、本体左外板２の本体係合部１６０（図１１参照）に対して前側から嵌り込み、蓋右外板１６の蓋係合部１６３が、図２０に示すように、本体右外板３の本体係合部１６１に対して前側から嵌り込む。つまり、蓋Ｃが閉じられた状態において、本体係合部１６０，１６１と蓋係合部１６２，１６３とが係合する。そのため、蓋Ｃが不意に開くことを防止できる。
【００９０】
そして、閉じた蓋Ｃを、所定以上の力で、折り目１１４を中心として後側へ回動させると、本体係合部１６０，１６１と蓋係合部１６２，１６３との係合状態が解消され、図１９に示すように蓋Ｃが開く。
このような第２実施形態では、第１実施形態と同じ作用効果を奏することができる。
＜第３実施形態＞
図２１は、この発明の第３実施形態に係る容器Ａの展開図である。図２２〜図２９は、容器Ａを組み立てる工程を示す斜視図である。図３０および図３１は、完成した容器Ａの斜視図である。
【００９１】
第３実施形態に係る容器Ａに関し、図２１に示す型紙Ｘ（本体部展開型紙Ｙ）は、第１実施形態および第２実施形態と同様に、容器本体Ｂを構成する部材として、本体底板１、本体左外板２、本体右外板３、本体前外板４、本体後外板５、本体左内板６、左内底板２６、本体右内板７、右内底板２７、左前連結帯片８、右前連結帯片９、本体前内板１０、係止片１１、左後連結帯片１２および右後連結帯片１３を含んでいる。
【００９２】
また、第３実施形態の型紙Ｘ（蓋部展開型紙Ｚ）は、蓋Ｃを構成する部材として、第１実施形態および第２実施形態と同様に、蓋板１４、蓋左外板１５、蓋右外板１６、蓋前外板１７、蓋前内板２４および蓋延設板２５を含んでいる。ただし、第３実施形態では、蓋前内板２４には、第１蓋左凸部６４および第１蓋右凸部６５（図１参照）は設けられていない。
【００９３】
また、第３実施形態の型紙Ｘ（蓋部展開型紙Ｚ）は、蓋Ｃを構成する部材として、第１および第２実施形態とは異なり、さらに、蓋左内板２１８、左内蓋板２２０、蓋右内板２１９、右内蓋板２２１、左差込片２２２および右差込片２２３を含んでいる。蓋左外板１５および蓋左内板２１８は、蓋Ｃの２片の左側壁をなし、蓋右外板１６および蓋右内板２１９は、蓋Ｃの２片の右側壁をなす。左内蓋板２２０および右内蓋板２２１は、蓋Ｃにおいて対をなす２葉の内蓋板をなす。
【００９４】
蓋左内板２１８は、蓋左外板１５とほぼ同じ形状を有していて、蓋左外板１５の左端縁の全域に連結されている。蓋左内板２１８と蓋左外板１５の左端縁との境界には、折り目２３０が前後に延びている。
左内蓋板２２０は、蓋板１４の左半分を覆い得る大きさを有する略矩形状であり、蓋左内板２１８の左端縁の全域に連結されている。左内蓋板２２０と蓋左内板２１８の左端縁との境界には、折り目２３１が前後に延びている。左内蓋板２２０において左の先端辺である左端縁の前後方向略中央位置には、略三角形状の切欠き２６９が形成されている。また、左内蓋板２２０の左端縁には、切欠き２６９の前側部分に連続して左内蓋板２２０の左端縁から左前側へ膨出した舌状部分２７０が形成されている。切欠き２６９および舌状部分２７０のまとまりは、第７係合部２００とされ、左内蓋板２２０の左端縁に設けられている。
【００９５】
蓋右内板２１９は、蓋右外板１６とほぼ同じ形状を有していて、蓋右外板１６の右端縁の全域に連結されている。蓋右内板２１９と蓋右外板１６の右端縁との境界には、折り目２３２が前後に延びている。
右内蓋板２２１は、蓋板１４の右半分を覆い得る大きさを有する略矩形状であり、蓋右内板２１９の右端縁の全域に連結されている。右内蓋板２２１と蓋右内板２１９の右端縁との境界には、折り目２３３が前後に延びている。右内蓋板２２１において右の先端辺である右端縁の前後方向略中央位置には、略三角形状の切欠き２７１が形成されている。また、右内蓋板２２１の右端縁には、切欠き２７１の後側部分に連続して右内蓋板２２１の右端縁から右後側へ膨出した舌状部分２７２が形成されている。切欠き２７１および舌状部分２７２のまとまりは、第８係合部２０１とされ、右内蓋板２２１の右端縁に設けられている。
【００９６】
ここで、第７係合部２００の切欠き２６９と、第８係合部２０１の切欠き２７１とは前後方向でほぼ同じ位置にあって、第７係合部２００の舌状部分２７０は、切欠き２６９の前側部分から左前側へ膨出している一方で、第８係合部２０１の舌状部分２７２は、切欠き２７０の後側部分から右後側へ膨出している。つまり、第８係合部２０１の舌状部分２７２は、右内蓋板２２１において前後方向で舌状部分２７０（第７係合部２００）からずれた位置から膨出している。
【００９７】
左差込片２２２は、前後に細長い長方形状であり、蓋左外板１５の後端縁の全域に連結されている。左差込片２２２の前後方向寸法は、蓋前外板１７の左右方向寸法の半分程度である。左差込片２２２と蓋左外板１５の後端縁との境界には、折り目２３４が左右に延びている。
右差込片２２３は、左差込片２２２と同じ形状であり、蓋右外板１６の後端縁の全域に連結されている。右差込片２２３と蓋右外板１６の後端縁との境界には、折り目２３５が左右に延びている。
【００９８】
このような第３実施形態の型紙Ｘから、型紙Ｘの裏面が上を向いた状態で、第１および第２実施形態と同様に、容器本体Ｂを組み立てる（図２２〜図２５参照）。なお、図２２は、図２および図１２に対応し、図２３は、図３および図１３に対応し、図２４は、図４および図１４に対応し、図２５は、図５および図１５に対応している。
図２５に示すように容器本体Ｂが完成した状態で、次に、蓋Ｃを組み立てる。
【００９９】
まず、図２６に示すように、蓋左外板１５を、蓋板１４に対して直交するように、折り目１１５において上向きに折り曲げ、蓋右外板１６を、蓋板１４に対して直交するように、折り目１１６において上向きに折り曲げる。すると、蓋左内板２１８および左内蓋板２２０が、蓋左外板１５に沿って上向きに延びるとともに、蓋右内板２１９および右内蓋板２２１が、蓋右外板１６に沿って上向きに延びる。
【０１００】
次いで、左差込片２２２および右差込片２２３を互いに接近する方向へ折り曲げる。つまり、左差込片２２２を、蓋左外板１５に対して直交するように、折り目２３４において右向きに折り曲げるとともに、右差込片２２３を、蓋右外板１６に対して直交するように、折り目２３５において左向きに折り曲げる。
次いで、図２７に示すように、蓋前内板２４を、蓋前外板１７に対して直交するように、折り目１２４において上向きに折り曲げるとともに、蓋延設板２５を、蓋前内板２４に対して直交するように、折り目１２５において後向きに折り曲げる。
【０１０１】
次いで、図２８に示すように、蓋前外板１７を、蓋板１４に対して直交するように折り目１１７において上向きに折り曲げるとともに、蓋前内板２４を、蓋前外板１７に対して前側から折り重なるように折り目１２４において折り畳む。すると、蓋前外板１７と蓋前内板２４との間に、左差込片２２２および右差込片２２３が挟み込まれる。このとき、蓋延設板２５が蓋板１４に対して上から対向している。
【０１０２】
次いで、図２９に示すように、左内蓋板２２０を、蓋左内板２１８に対して直交するように、折り目２３１において左側へ折り曲げるとともに、右内蓋板２２１を、蓋右内板２１９に対して直交するように、折り目２３３において右側へ折り曲げる。
次いで、蓋左内板２１８を、蓋左外板１５に対して右側から折り重なるように折り目２３０において折り畳む。すると、左内蓋板２２０が、蓋左外板１５および蓋左内板２１８から蓋板１４の上面（裏面）沿いに蓋板１４の左右方向中央部に向かって伸び、蓋板１４の上面の略左半分を上から覆う（図３０参照）。同様に、蓋右内板２１９を、蓋右外板１６に対して左側から折り重なるように折り目２３２において折り畳む。すると、右内蓋板２２１が、蓋右外板１６および蓋右内板２１９から蓋板１４の上面沿いに蓋板１４の左右方向中央部に向かって伸び、蓋板１４の上面の略右半分を上から覆う（図３０参照）。なお、図３０における蓋板１４の上面は、完成した蓋Ｃが閉じたときに下面となる。また、このとき、図３０に示すように、左内蓋板２２０および右内蓋板２２１と、蓋板１４との間に蓋延設板２５が挟み込まれる。
【０１０３】
次いで、左内蓋板２２０の舌状部分２７０を右内蓋板２２１の切欠き２７１（図２１参照）に上から嵌め込み、さらに、右内蓋板２２１の舌状部分２７２を左内蓋板２２０の切欠き２６９（図２１参照）に上から嵌め込む。これにより、左内蓋板２２０の舌状部分２７０の下に、右内蓋板２２１における切欠き２７１の周縁部が潜り込み、さらに、右内蓋板２２１の舌状部分２７２の下に、左内蓋板２２０における切欠き２６９の周縁部が潜り込む。その結果、左内蓋板２２０の第７係合部２００と、右内蓋板２２１の第８係合部２０１とが、蓋板１４の上面の左右方向中央部で互いに係合する。この状態で、舌状部分２７０および２７２は、前後に並びつつ、対称に配置されている。なお、舌状部分２７０および２７２のそれぞれが逆向きに膨出するように形成されていてもよく、その場合、第７係合部２００と第８係合部２０１とが係合したときに舌状部分２７０および２７２の前後に並ぶ順番は、逆になる。
【０１０４】
左内蓋板２２０の第７係合部２００と右内蓋板２２１の第８係合部２０１とが係合することにより、糊を使わずに蓋Ｃが完成し、容器Ａが完成する。第３実施形態においても、これまでの工程で、糊は一切使用していない。
蓋Ｃでは、折り重なっている蓋前外板１７および蓋前内板２４によって、２重構造の前側壁Ｉが構成され、折り重なっている蓋左外板１５および蓋左内板２１８によって、２重構造の左側壁Ｊが構成され、折り重なっている蓋右外板１６および蓋右内板２１９によって、２重構造の右側壁Ｋが構成されている。また、蓋Ｃの天壁Ｌは、蓋板１４と、蓋板１４の略左半分を上から覆う左内蓋板２２０と、蓋板１４の略右半分を上から覆う右内蓋板２２１とで構成される２重構造である。
【０１０５】
蓋Ｃでは、内側面を含む全ての面に、型紙Ｘの表面がきている。また、蓋Ｃでは、左内蓋板２２０の第７係合部２００と右内蓋板２２１の第８係合部２０１とが係合することで、左側壁Ｊと右側壁Ｋとの相対位置が安定するとともに、それぞれの剛性が高められている。さらに、左内蓋板２２０および右内蓋板２２１と蓋板１４との間に蓋延設板２５が挟み込まれている。そのため、前側壁Ｉ、左側壁Ｊ、右側壁Ｋおよび天壁Ｌが一体化されており、蓋Ｃは、型崩れすることなく安定している。
【０１０６】
容器本体Ｂと蓋Ｃとは、蓋板１４と本体後外板５との境界（折り目１１４）において連結されている。図３０では、蓋Ｃが開いた状態にあり、蓋Ｃを、折り目１１４を中心として前側へ回動させると、図３１に示すように、蓋Ｃが、閉じて容器本体Ｂに上から被さる。
このとき、蓋Ｃの天壁Ｌが容器本体Ｂの上面（開口部）を塞いでいるとともに、蓋Ｃの左側壁Ｊが容器本体Ｂの左側壁Ｅの左外側にあり、蓋Ｃの右側壁Ｋが容器本体Ｂの右側壁Ｆの右外側にあり、蓋Ｃの前側壁Ｉが容器本体Ｂの前側壁Ｄの前外側にある。
【０１０７】
そして、閉じた蓋Ｃを、折り目１１４を中心として後側へ回動させると、図３０に示すように蓋Ｃが開く。
このような第３実施形態では、第１および第２実施形態と同じ作用効果を奏することができる。
さらに、第３実施形態では、型紙Ｘ（蓋部展開型紙Ｚ）の裏面が上を向いた状態で蓋Ｃを組み立てれば、蓋部展開型紙Ｚの表面が、蓋Ｃの左側壁Ｊ、右側壁Ｋおよび天壁Ｌのそれぞれの外面および内面となるようにすることができる。特に、左内蓋板２２０および右内蓋板２２１のそれぞれにおいて蓋部展開型紙Ｚの表面であった面が、蓋Ｃの天壁Ｌの内面をなす。そのため、蓋Ｃを開くときに目に付く蓋Ｃの天壁Ｌの内面全域に蓋部展開型紙Ｚの表面がくるので、一層見映えが良い。さらに、蓋Ｃの天壁Ｌの内面では、舌状部分２７０，２７２が対称となることで規則的に配置された様子が現れるので、一層見映えが良い。
【０１０８】
この発明は、以上に説明した実施形態に限定されるものではなく、請求項記載の範囲内において種々の変更が可能である。
【符号の説明】
【０１０９】
１      本体底板
２      本体左外板
３      本体右外板
４      本体前外板
５      本体後外板
６      本体左内板
７      本体右内板
８      左前連結帯片
９      右前連結帯片
１０    本体前内板
１１    係止片
１２    左後連結帯片
１３    右後連結帯片
１４    蓋板
１５    蓋左外板
１６    蓋右外板
１７    蓋前外板
１８    蓋左内板
１９    第２左差込片
２０    第１左差込片
２１    蓋右内板
２２    第２右差込片
２３    第１右差込片
２４    蓋前内板
２５    蓋延設板
２６    左内底板
２７    右内底板
５１    第１係合部
５２    第２係合部
５４    第３係合部
５５    第４係合部
５６    第５係合部
５７    第６係合部
６０    第２蓋左凸部
６１    第２蓋右凸部
６２    左切欠き
６３    右切欠き
６４    第１蓋左凸部
６５    第１蓋右凸部
１００  折り目
１０１  折り目
１０２  折り目
１０３  折り目
１０４  折り目
１０５  折り目
１０６  折り目
１０７  折り目
１０８  折り目
１０９  折り目
１１０  折り目
１１１  折り目
１１２  折り目
１１３  折り目
１１４  折り目
１１５  折り目
１１６  折り目
１１７  折り目
１１８  折り目
１１９  折り目
１２０  折り目
１２１  折り目
１２２  折り目
１２３  折り目
１２４  折り目
１２５  折り目
１２６  折り目
１２７  折り目
１２８  折り目
１２９  折り目
１５０  切欠き
１５１  舌状部分
１５２  切欠き
１５３  舌状部分
１６０  本体係合部
１６１  本体係合部
１６２  蓋係合部
１６３  蓋係合部
２００  第７係合部
２０１  第８係合部
２１８  蓋左内板
２１９  蓋右内板
２２０  左内蓋板
２２１  右内蓋板
２２２  左差込片
２２３  右差込片
２３０  折り目
２３１  折り目
２３２  折り目
２３３  折り目
２３４  折り目
２３５  折り目
２６９  切欠き
２７０  舌状部分
２７１  切欠き
２７２  舌状部分
Ａ      紙製容器
Ｂ      容器本体
Ｃ      蓋
Ｄ      前側壁
Ｅ      左側壁
Ｆ      右側壁
Ｇ      底壁
Ｈ      後側壁
Ｉ      前側壁
Ｊ      左側壁
Ｋ      右側壁
Ｌ      天壁
Ｘ      型紙
Ｙ      本体部展開型紙
Ｚ      蓋部展開型紙
【図１】
0005618782.tif 000002
【図２】
0005618782.tif 000003
【図３】
0005618782.tif 000004
【図４】
0005618782.tif 000005
【図５】
0005618782.tif 000006
【図６】
0005618782.tif 000007
【図７】
0005618782.tif 000008
【図８】
0005618782.tif 000009
【図９】
0005618782.tif 000010
【図１０】
0005618782.tif 000011
【図１１】
0005618782.tif 000012
【図１２】
0005618782.tif 000013
【図１３】
0005618782.tif 000014
【図１４】
0005618782.tif 000015
【図１５】
0005618782.tif 000016
【図１６】
0005618782.tif 000017
【図１７】
0005618782.tif 000018
【図１８】
0005618782.tif 000019
【図１９】
0005618782.tif 000020
【図２０】
0005618782.tif 000021
【図２１】
0005618782.tif 000022
【図２２】
0005618782.tif 000023
【図２３】
0005618782.tif 000024
【図２４】
0005618782.tif 000025
【図２５】
0005618782.tif 000026
【図２６】
0005618782.tif 000027
【図２７】
0005618782.tif 000028
【図２８】
0005618782.tif 000029
【図２９】
0005618782.tif 000030
【図３０】
0005618782.tif 000031
【図３１】
0005618782.tif 000032